【手続補正書】
【提出日】平成18年2月7日(2006.2.7)
【手続補正１】
【補正対象書類名】明細書
【補正対象項目名】特許請求の範囲
【補正方法】変更
【補正の内容】
【特許請求の範囲】
【請求項１】
シートを搬送するための搬送路と、
シートを保持するための保持手段と、
前記搬送路から分岐してシートを前記保持手段に導くかそのまま前記搬送路を通過させるかを切換える切換え手段と、
前記シートの情報を読取るための読取り手段と、
画像形成装置から送られて来る前記シートに関する情報と前記読取り手段により読取られたシートの情報とを比較し、該比較の結果に応じて前記切換え手段を制御する制御手段と
を備える検品装置において、
前記読取り手段により前記シートの情報を読取る前に前記シートの位置のズレの補正を行う補正手段を少なくとも一つ備えることを特徴とする検品装置。
【請求項２】
前記補正手段には、
シート先端をローラに突当てることで前記シートの斜行補正を行う斜行補正手段が含まれることを特徴とする請求項１に記載の検品装置。
【請求項３】
前記補正手段には、前記シートの搬送方向に略直角な方向の位置の補正を行う位置補正手段が含まれ、
前記位置補正手段が、シート搬送方向に略直角な方向のシートの位置を整合する整合手段を備え、
該整合手段により、シートの搬送方向に略直角な方向の位置が補正されることを特徴とする請求項１又は２記載の検品装置。
【請求項４】
前記斜行補正手段が、
前記読取り手段より上流に配置された着脱可能なシート搬送ユニットを備え、
該シート搬送ユニットを装置本体へ取付ける際の位置の調整により、前記シートの搬送方向に略直角な方向の位置が補正されることを特徴とする請求項１から３のいずれか１項に記載の検品装置。
【請求項５】
前記位置補正手段が、
搬送ローラ及び従動ローラのうちの少なくとも一方を備え、
該搬送ローラ及び従動ローラの少なくとも一方が斜めに配置されることにより、前記シートの搬送方向に略直角な方向の位置が補正されることを特徴とする請求項１から４のいずれか１項に記載の検品装置。
【請求項６】
シートを搬送するための搬送路と、
シートを保持するための保持手段と、
前記搬送路から分岐してシートを前記保持手段に導くかそのまま前記搬送路を通過させるかを切換える切換え手段と、
前記シートの情報を読取るための読取り手段と、
画像形成装置から送られてくる前記シートに関する情報と前記読取り手段により読取られたシートの情報とを比較し、該比較の結果に応じて前記切換え手段を制御する制御手段と
を有する検品装置において、
前記読取り手段により前記シートの情報を読取る前に前記シートの位置のズレの検知を行う検知手段を少なくとも一つ備えることを特徴とする検品装置。
【請求項７】
前記検知手段には、前記シートの搬送方向に略直角な方向の位置を検知する位置検知手段が含まれ、
前記位置検知手段により、前記シートの搬送方向に略直角な方向の位置を検知した後に、
前記検知されたシートの位置に応じて前記読取り手段をシート搬送方向に略直角な方向に移動させる移動手段を備え、
移動後の読取り手段により前記シートの情報を読取ることを特徴とする請求項６に記載の検品装置。
【請求項８】
前記検知手段には、前記シートの斜行量を検知する斜行量検知手段が含まれ、
前記斜行量検知手段は、最小シートの幅方向よりも小さい幅で、シートの搬送方向に略垂直に配置されている少なくとも２以上のセンサを備えることを特徴とする請求項６又は７に記載の検品装置。
【請求項９】
前記位置検知手段は、
前記シートの搬送方向に略垂直な方向に移動可能なセンサフラッグと、
該センサフラッグを駆動する駆動モータと、
該センサフラッグの移動を支持するラックと、
前記センサフラッグの動きを検知するセンサと、
前記センサフラッグの位置の基準を得るための指示部と
を備えることを特徴とする請求項６から８のいずれか１項に記載の検品装置。
【請求項１０】
前記シートに画像を形成する画像形成手段と、
画像が形成されたシートを検品する上記請求項１から９のいずれか１項に記載の検品装置と
を備えることを特徴とする画像形成装置。
【手続補正２】
【補正対象書類名】明細書
【補正対象項目名】００１２
【補正方法】変更
【補正の内容】
【００１２】
【課題を解決するための手段】
上記目的を達成するために、本発明に係る検品装置は、シートを搬送するための搬送路と、シートを保持するための保持手段と、前記搬送路から分岐してシートを前記保持手段に導くかそのまま前記搬送路を通過させるかを切換える切換え手段と、前記シートの情報を読取るための読取り手段と、画像形成装置から送られて来る前記シートに関する情報と前記読取り手段により読取られたシートの情報とを比較し、該比較の結果に応じて前記切換え手段を制御する制御手段とを備える検品装置において、前記読取り手段により前記シートの情報を読取る前に前記シートの位置のズレの補正を行う補正手段を少なくとも一つ備える。
【手続補正３】
【補正対象書類名】明細書
【補正対象項目名】００１３
【補正方法】変更
【補正の内容】
【００１３】
また、本発明に係る検品装置は、前記補正手段には、シート先端をローラに突当てることで前記シートの斜行補正を行う斜行補正手段が含まれる。
【手続補正４】
【補正対象書類名】明細書
【補正対象項目名】００１４
【補正方法】変更
【補正の内容】
【００１４】
また、本発明に係る検品装置は、前記補正手段には、前記シートの搬送方向に略直角な方向の位置の補正を行う位置補正手段が含まれ、前記位置補正手段が、シート搬送方向に略直角な方向のシートの位置を整合する整合手段を備え、該整合手段により、シートの搬送方向に略直角な方向の位置が補正される。
【手続補正５】
【補正対象書類名】明細書
【補正対象項目名】００１５
【補正方法】変更
【補正の内容】
【００１５】
また、本発明に係る検品装置は、前記斜行補正手段が、前記読取り手段より上流に配置された着脱可能なシート搬送ユニットを備え、該シート搬送ユニットを装置本体へ取付ける際の位置の調整により、前記シートの搬送方向に略直角な方向の位置が補正される。
【手続補正６】
【補正対象書類名】明細書
【補正対象項目名】００１６
【補正方法】変更
【補正の内容】
【００１６】
また、本発明に係る検品装置は、前記位置補正手段が、搬送ローラ及び従動ローラのうちの少なくとも一方を備え、該搬送ローラ及び従動ローラの少なくとも一方が斜めに配置されることにより、前記シートの搬送方向に略直角な方向の位置が補正される。
【手続補正７】
【補正対象書類名】明細書
【補正対象項目名】００１７
【補正方法】変更
【補正の内容】
【００１７】
また、本発明に係る検品装置は、シートを搬送するための搬送路と、シートを保持するための保持手段と、前記搬送路から分岐してシートを前記保持手段に導くかそのまま前記搬送路を通過させるかを切換える切換え手段と、前記シートの情報を読取るための読取り手段と、画像形成装置から送られてくる前記シートに関する情報と前記読取り手段により読取られたシートの情報とを比較し、該比較の結果に応じて前記切換え手段を制御する制御手段とを有する検品装置において、前記読取り手段により前記シートの情報を読取る前に前記シートの位置のズレの検知を行う検知手段を少なくとも一つ備える。
【手続補正８】
【補正対象書類名】明細書
【補正対象項目名】００１８
【補正方法】変更
【補正の内容】
【００１８】
また、本発明に係る検品装置は、前記検知手段には、前記シートの搬送方向に略直角な方向の位置を検知する位置検知手段が含まれ、前記位置検知手段により、前記シートの搬送方向に略直角な方向の位置を検知した後に、前記検知されたシートの位置に応じて前記読取り手段をシート搬送方向に略直角な方向に移動させる移動手段を備え、移動後の読取り手段により前記シートの情報を読取る。
【手続補正９】
【補正対象書類名】明細書
【補正対象項目名】００１９
【補正方法】変更
【補正の内容】
【００１９】
また、本発明に係る検品装置は、前記検知手段には、前記シートの斜行量を検知する斜行量検知手段が含まれ、前記斜行量検知手段は、最小シートの幅方向よりも小さい幅で、シートの搬送方向に略垂直に配置されている少なくとも２以上のセンサを備える。
【手続補正１０】
【補正対象書類名】明細書
【補正対象項目名】００２０
【補正方法】変更
【補正の内容】
【００２０】
また、本発明に係る検品装置は、前記位置検知手段が、前記シートの搬送方向に略垂直な方向に移動可能なセンサフラッグと、該センサフラッグを駆動する駆動モータと、該センサフラッグの移動を支持するラックと、前記センサフラッグの動きを検知するセンサと、前記センサフラッグの位置の基準を得るための指示部とを備える。